【手続補正書】
【提出日】平成30年9月11日(2018.9.11)
【手続補正１】
【補正対象書類名】特許請求の範囲
【補正対象項目名】全文
【補正方法】変更
【補正の内容】
【特許請求の範囲】
【請求項１】
装置であって、前記装置は下記を備える、
第１のＲＦ信号を送信するように構成された第１の送信チェーンと、
第２のＲＦ信号を送信するように構成された第２の送信チェーンと、
前記第２の送信チェーンに入力される第１の漏洩消去信号を出力するように、および前記第１の送信チェーンに入力される第２の漏洩消去信号を出力するように構成されたキャンセラ、ここで、前記キャンセラは、前記第１および第２のＲＦ信号から、または前記第１および第２のＲＦ信号を生成するために使用される第１および第２のベースバンド信号から、前記第１および第２の漏洩消去信号を生成するように構成される。
【請求項２】
請求項１に記載の装置であって、前記第１の送信チェーンは第１の増幅器を含むように構成され、前記第２の消去信号は前記第１の増幅器に入力され、前記第２の送信チェーンは第２の増幅器を含むように構成され、前記第１の消去信号は前記第２の増幅器に入力される、装置。
【請求項３】
請求項１に記載の装置であって、前記装置は、第１および第２のフィードバック信号を受信するように構成されるフィードバック受信機をさらに備え、前記第１のフィードバック信号は、前記第１の送信チェーンへの前記第２のＲＦ信号の漏洩のレベルを指示し、前記第２のフィードバック信号は、前記第２の送信チェーンへの前記第１のＲＦ信号の漏洩のレベルを指示する、装置。
【請求項４】
請求項３に記載の装置であって、前記第１および第２のフィードバック信号は、前記第１および第２の送信チェーンに関連付けられる電力増幅器入力、電力増幅器出力、ダイプレクサ入力、およびアンテナ入力のうちの少なくとも１つから決定される、装置。
【請求項５】
請求項３に記載の装置であって、前記装置は、前記第１および第２の漏洩消去信号の振幅、位相、および時間遅延のうちの少なくとも１つを調整するように構成されたコントローラをさらに備える。
【請求項６】
請求項５に記載の装置であって、前記コントローラは、前記指示された漏洩のレベルに基づいて、前記第１および第２の漏洩消去信号のうちの少なくとも一方の前記振幅、位相、および時間遅延のうちの少なくとも１つを調整するように構成される、装置。
【請求項７】
請求項５に記載の装置であって、前記コントローラは、相互変調ひずみ（ＩＭＤ）の測定値に基づいて、前記第１および第２の漏洩消去信号のうちの少なくとも一方の前記振幅、位相、および時間遅延のうちの少なくとも１つを調整するように構成される、装置。
【請求項８】
請求項５に記載の装置であって、前記コントローラは、トランシーバ性能測定値に基づいて、前記第１および第２の漏洩消去信号のうちの少なくとも一方の前記振幅、位相、および時間遅延のうちの少なくとも１つを調整するように構成される、装置。
【請求項９】
請求項１に記載の装置であって、前記キャンセラは、前記第１の送信チェーンに結合される第１の高調波ひずみ消去信号を出力するように、ならびに前記第２の送信チェーンに結合される第２の高調波消去信号を出力するように構成される、装置。
【請求項１０】
請求項１に記載の装置であって、前記装置は下記をさらに備える、
第１および第２の調整されたＲＦ信号をそれぞれ発生させるように前記第１および第２の消去信号を第１および第２のアップコンバートされたＲＦ信号と合成するように構成される、第１および第２の信号合成器と、
前記第１および第２のＲＦ信号を発生させるように前記第１および第２の調整されたＲＦ信号を増幅するように構成される、第１および第２のドライバ増幅器。
【請求項１１】
請求項１に記載の装置であって、前記装置は、前記キャンセラに結合されたコントローラをさらに備え、前記コントローラは、前記第１の送信チェーンにおける漏洩信号を測定するように構成され、ここで、前記漏洩信号は、前記第２の送信チェーン内で流れる前記第２のＲＦ信号に関連付けられ、および前記コントローラは、前記第１の送信チェーンに結合信号を注入するように前記キャンセラを制御するように構成され、ここで、前記結合信号は、前記第２のＲＦ信号の結合バージョンである、装置。
【請求項１２】
請求項１１に記載の装置であって、前記コントローラは、前記第２のＲＦ信号と遅延値だけ遅延された前記注入された結合信号との間の選択された相関を生じる遅延値を発見するために遅延パラメータをスイープするように、前記第２のＲＦ信号と前記遅延値だけ遅延された前記注入された結合信号との位相差を決定するように、および前記位相差に基づいて位相調整を決定するように構成される、装置。
【請求項１３】
請求項１２に記載の装置であって、前記コントローラは、位相および遅延調整された注入される信号を発生させるために前記遅延値および前記位相調整を使用して前記注入された信号を調整するように、また、前記第２の漏洩消去信号を発生させるために前記位相および遅延調整された注入される信号の振幅レベルを調整するように構成される、装置。
【請求項１４】
請求項１に記載の装置であって、前記装置は、前記キャンセラに結合されたコントローラをさらに備え、前記コントローラは、第１および第２の送信チェーンに対する相互変調ひずみ（ＩＭＤ）レベルを決定するように、ならびに前記ＩＭＤレベルを低減するために前記第１および第２の漏洩消去信号のうちの少なくとも一方の遅延、位相、および振幅のうちの少なくとも１つを調整するように前記キャンセラを制御するように構成される、装置。
【請求項１５】
請求項１４に記載の装置であって、前記コントローラは、信号強度（ＲＳＳＩ）、ビット誤り率（ＢＥＲ）およびエラーベクトル振幅（ＥＶＭ）レベルを含むセットから選択された少なくとも１つの受信機（Ｒｘ）性能特性を決定するように、ならびに前記少なくとも１つのＲｘ性能特性の所望のレベルを得るために、前記第１および第２の漏洩消去信号のうちの前記少なくとも１つの前記遅延、前記位相、および前記振幅のうちの少なくとも１つを調整するように構成される、装置。
【手続補正２】
【補正対象書類名】明細書
【補正対象項目名】０１１２
【補正方法】変更
【補正の内容】
【０１１２】
[00131]本開示についての以上の説明は、当業者が本開示を作成または使用することができるようにするために提供したものである。本開示への様々な修正は当業者には容易に明らかとなり、本明細書で定義した一般原理は、本開示の範囲から逸脱することなく他の変形形態に適用され得る。したがって、本開示は、本明細書で説明した例および設計に限定されるものではなく、本開示は、本明細書で開示した原理および新規の特徴に合致する最も広い範囲を与えられるべきである。
以下に本願発明の当初の特許請求の範囲に記載された発明を付記する。
［Ｃ１］  装置であって、前記装置は下記を備える、
第１のＲＦ信号を送信するように構成された第１の送信チェーンと、
第２のＲＦ信号を送信するように構成された第２の送信チェーンと、
前記第２の送信チェーンに入力される第１の漏洩消去信号を出力するように、および前記第１の送信チェーンに入力される第２の漏洩消去信号を出力するように構成されたキャンセラ、ここで、前記キャンセラは、前記第１および第２のＲＦ信号から、または前記第１および第２のＲＦ信号を生成するために使用される第１および第２のベースバンド信号から、前記第１および第２の漏洩消去信号を生成する。
［Ｃ２］  Ｃ１に記載の装置であって、前記第１の送信チェーンは第１の増幅器を含み、前記第２の消去信号は前記第１の増幅器に入力され、前記第２の送信チェーンは第２の増幅器を含み、前記第１の消去信号は前記第２の増幅器に入力される、装置。
［Ｃ３］  Ｃ１に記載の装置であって、前記装置は、第１および第２のフィードバック信号を受信するフィードバック受信機をさらに備え、前記第１のフィードバック信号は、前記第１の送信チェーンへの前記第２のＲＦ信号の漏洩のレベルを指示し、前記第２のフィードバック信号は、前記第２の送信チェーンへの前記第１のＲＦ信号の漏洩のレベルを指示する、装置。
［Ｃ４］  Ｃ３に記載の装置であって、前記第１および第２のフィードバック信号は、前記第１および第２の送信チェーンに関連付けられる電力増幅器入力、電力増幅器出力、ダイプレクサ入力、およびアンテナ入力のうちの少なくとも１つから決定される、装置。
［Ｃ５］  Ｃ３に記載の装置であって、前記装置は、前記第１および第２の漏洩消去信号の振幅、位相、および時間遅延のうちの少なくとも１つを調整するように構成されたコントローラをさらに備える。
［Ｃ６］  Ｃ５に記載の装置であって、前記コントローラは、前記指示された漏洩のレベルに基づいて、前記第１および第２の漏洩消去信号のうちの少なくとも一方の前記振幅、位相、および時間遅延のうちの少なくとも１つを調整するように構成される、装置。
［Ｃ７］  Ｃ５に記載の装置であって、前記コントローラは、相互変調ひずみ（ＩＭＤ）の測定値に基づいて、前記第１および第２の漏洩消去信号のうちの少なくとも一方の前記振幅、位相、および時間遅延のうちの少なくとも１つを調整するように構成される、装置。
［Ｃ８］  Ｃ５に記載の装置であって、前記コントローラは、トランシーバ性能測定値に基づいて、前記第１および第２の漏洩消去信号のうちの少なくとも一方の前記振幅、位相、および時間遅延のうちの少なくとも１つを調整するように構成される、装置。
［Ｃ９］  Ｃ１に記載の装置であって、前記キャンセラは、前記第１の送信チェーンに結合される第１の高調波ひずみ消去信号を出力するように、ならびに前記第２の送信チェーンに結合される第２の高調波消去信号を出力するように構成される、装置。
［Ｃ１０］  Ｃ１に記載の装置であって、送信機のベースバンド−ＲＦ集積回路（ＩＣ）の中に内蔵される、装置。
［Ｃ１１］  Ｃ１に記載の装置であって、前記装置は下記をさらに備える、
第１および第２の調整されたＲＦ信号をそれぞれ発生させるように前記第１および第２の消去信号を第１および第２のアップコンバートされたＲＦ信号と合成する、第１および第２の信号合成器と、
前記第１および第２のＲＦ信号を発生させるように前記第１および第２の調整されたＲＦ信号を増幅する、第１および第２のドライバ増幅器。
［Ｃ１２］  Ｃ１１に記載の装置であって、前記装置は、前記第１および第２の信号合成器のうちの一方に前記第１の消去信号を選択的に接続するように、ならびに前記第１および第２の信号合成器のうちの一方に前記第２の消去信号を選択的に接続するように構成されたスイッチング回路をさらに備える。
［Ｃ１３］  Ｃ１１に記載の装置であって、前記キャンセラは、前記第１の漏洩消去信号に変換される第１のデジタル消去信号を出力するように、前記第２の漏洩信号に変換される第２のデジタル消去信号を出力するように、ならびに前記第１および第２のＲＦ信号を発生させるために使用される第１および第２のデジタルベースバンド信号から前記第１および第２のデジタル消去信号を生成するように構成される、装置。
［Ｃ１４］  Ｃ１３に記載の装置であって、前記装置は、少なくとも１つのフィードバック信号に基づいて、前記第１および第２のデジタル消去信号の振幅、位相、および時間遅延のうちの少なくとも１つをデジタル的に調整するための制御信号を出力するように構成されたコントローラをさらに備える。
［Ｃ１５］  Ｃ１に記載の装置であって、前記装置は、前記キャンセラに結合されたコントローラをさらに備え、前記コントローラは、前記第１の送信チェーンにおける漏洩信号を測定するように構成され、ここで、前記漏洩信号は、前記第２の送信チェーン内で流れる前記第２のＲＦ信号に関連付けられ、および前記コントローラは、前記第１の送信チェーンに結合信号を注入するように前記キャンセラを制御するように構成され、ここで、前記結合信号は、前記第２のＲＦ信号の結合バージョンである、装置。
［Ｃ１６］  Ｃ１５に記載の装置であって、前記コントローラは、前記第２のＲＦ信号と遅延値だけ遅延された前記注入された結合信号との間の選択された相関を生じる遅延値を発見するために遅延パラメータをスイープするように、前記第２のＲＦ信号と前記遅延値だけ遅延された前記注入された結合信号との位相差を決定するように、および前記位相差に基づいて位相調整を決定するように構成される、装置。
［Ｃ１７］  Ｃ１６に記載の装置であって、前記コントローラは、位相および遅延調整された注入される信号を発生させるために前記遅延値および前記位相調整を使用して前記注入された信号を調整するように、また、前記第２の漏洩消去信号を発生させるために前記位相および遅延調整された注入される信号の振幅レベルを調整するように構成される、装置。
［Ｃ１８］  Ｃ１に記載の装置であって、前記装置は、前記キャンセラに結合されたコントローラをさらに備え、前記コントローラは、第１および第２の送信チェーンに対する相互変調ひずみ（ＩＭＤ）レベルを決定するように、ならびに前記ＩＭＤレベルを低減するために前記第１および第２の漏洩消去信号のうちの少なくとも一方の遅延、位相、および振幅のうちの少なくとも１つを調整するように構成される、装置。
［Ｃ１９］  Ｃ１８に記載の装置であって、前記コントローラは、信号強度（ＲＳＳＩ）、ビット誤り率（ＢＥＲ）およびエラーベクトル振幅（ＥＶＭ）レベルを含むセットから選択された少なくとも１つの受信機（Ｒｘ）性能特性を決定するように、ならびに前記少なくとも１つのＲｘ性能特性の所望のレベルを得るために、前記第１および第２の漏洩消去信号のうちの前記少なくとも１つの前記遅延、前記位相、および前記振幅のうちの少なくとも１つを調整するように構成される、装置。
［Ｃ２０］  装置であって、前記装置は下記を備える、
第１のＲＦ信号を送信するための手段と、
第２のＲＦ信号を送信するための手段と、
前記第２のＲＦ信号を送信するための手段に入力される第１の漏洩消去信号を出力するように、および前記第１のＲＦ信号を送信するための手段に入力される第２の漏洩消去信号を出力するように構成された、消去するための手段、ここで、前記消去するための手段は、前記第１および第２のＲＦ信号から、または前記第１および第２のＲＦ信号を生成するために使用される第１および第２のベースバンド信号から、前記第１および第２の漏洩消去信号を生成する。